【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】
インクジェット印字ヘッドにおいて、
内部電力供給パスと、
前記内部電力供給パスの電圧からオフセット電圧を提供する電源レギュレータと、
複数の基本要素とを備え、
それぞれの前記基本要素は、
一群のノズルと、
前記一群のノズルに対応する一群の発射抵抗器と、
前記内部電力供給パスと前記オフセット電圧の間に前記一群の発射抵抗器のうちの選択した発射抵抗器を結合し、それにより前記選択した発射抵抗器に電流を流して、該選択した発射抵抗器に対応する前記ノズルを発射させるように制御可能な対応する一群のスイッチと、
を備えることを特徴とするインクジェット印字ヘッド。
【請求項２】
前記電源レギュレータは、ディジタル−アナログ変換器を備え、  
前記ディジタル−アナログ変換器は、前記内部電力供給パスに結合されるとともに、所望の前記オフセット電圧を表すディジタル・オフセット・コマンドを受け取り、かつ、前記内部電力供給パス電圧からアナログ・オフセット電圧を提供するように構成された、請求項1に記載のインクジェット印字ヘッド。
【請求項３】
前記電源レギュレータは、さらにバッファ増幅器を備え、
前記バッファ増幅器は、前記アナログ・オフセット電圧を受け取り、かつ、バッファ・オフセット電圧を提供するように構成される、ことを特徴とする請求項2に記載のインクジェット印字ヘッド。
【請求項４】
前記電源レギュレータは、前記複数の基本要素に対応する複数の帰還増幅器を備え、
それぞれの前記帰還増幅器は、前記バッファ・オフセット電圧を受け取り、かつ、前記オフセット電圧を前記各帰還増幅器が対応する基本要素に提供する、ことを特徴とする請求項３に記載のインクジェット印字ヘッド。
【請求項５】
前記印字ヘッドは、さらに、内部電力アースを備え、
前記各帰還増幅器は、前記バッファ・オフセット電圧に結合された第１の入力と、前記各増幅器に対応する基本要素に提供される前記オフセット電圧に結合された第２の入力と、出力とを含み、
前記電源レギュレータは、複数のトランジスタを備え、前記それぞれの複数のトランジスタは、前記内部電力アースと前記対応する基本要素に提供される前記オフセット電圧との間に結合され、前記対応する帰還増幅器の前記出力に結合されたゲートを有する、
ことを特徴とする請求項4に記載のインクジェット印字ヘッド。
【請求項６】
前記印字ヘッドが、さらに、内部電力アースを備え、
前記各帰還増幅器は、前記バッファ・オフセット電圧に結合された前記第１の入力と、フィードバック線に結合された前記第２の入力と、駆動線に結合された前記出力とを含み、
前記基本要素内の各発射抵抗器は、前記内部電力供給パスに結合された第１の端子と、第２の端子とを含み、前記各基本要素内の前記一群のスイッチはサブグループのスイッチを含み、かつ、
前記各サブグループのスイッチは前記発射抵抗器に対応し、前記各サブグループのスイッチは、
全記発射抵抗器の前記第２の端子と前記内部電力アースの間に結合され、制御ゲート を有する電力用トランジスタと、
前記駆動線と前記電力用トランジスタの前記制御ゲートの間に結合された第１のスイ ッチと、
前記フィードバック線と前記発射抵抗器の前記第２の端子の間に結合された第２のス イッチとを含む、
ことを特徴とする請求項4に記載のインクジェット印字ヘッド。
【請求項７】
インクジェット印字ヘッドのインクジェット印刷の方法において、
内部電力供給パスを提供する段階と、
前記内部電力供給パスの電圧からオフセット電圧を提供する段階と、
前記内部電力供給パスと前記オフセット電圧の間に一群の発射抵抗器のうちの選択した発射抵抗器を結合して、前記選択した発射抵抗器に電流を流し、該選択した発射抵抗器に対応する選択したノズルを発射させる段階と、
を備えることを特徴とする方法。
【請求項８】
前記オフセット電圧を提供する段階は、所望のオフセット電圧を表すディジタル・オフセット・コマンドを、前記内部電力供給パスの電圧からアナログ・オフセット電圧に変換する段階を備えることを特徴とする請求項7に記載の方法。
【請求項９】
前記オフセット電圧を提供する段階は、前記アナログ・オフセット電圧をバッファに入れる段階をさらに備えることを特徴とする請求項８に記載の方法。
【請求項１０】
前記オフセット電圧を提供する段階は、帰還増幅器にバッファ・アナログ・オフセット電圧を受け取る段階と、前記帰還増幅器が前記オフセット電圧を提供する段階と、をさらに備えることを特徴とする請求項９に記載の方法。
【手続補正２】
【補正対象書類名】明細書
【補正対象項目名】００４８
【補正方法】変更
【補正の内容】
【００４８】
所与の時間に各基本要素５０内の１つの抵抗器４８だけを通電することができる。所与の基本要素５０内の通電された発射抵抗器４８は、オフセット電圧が内部電源アース９６ではなく発射抵抗器４８の低い側に結合され、内部Ｖｐｐ電力供給パス９２が発射抵抗器４８の高い側に結合されている。通電された発射抵抗器４８の高い側が、内部Ｖｐｐ電力供給パス９２に結合されているので、通電された発射抵抗器４８の両端の電圧は一定であり、その電圧は、Ｖｐｐ電圧の瞬時性低下が生じる場合でもＶｐｐ電圧とプログラムされたオフセット電圧の差に等しい。このＶｐｐ電圧の動きの追跡により、印字ヘッド４０内の通電された発射抵抗器４８に実質的に一定の電力が送られる。
【手続補正３】
【補正対象書類名】明細書
【補正対象項目名】００６３
【補正方法】変更
【補正の内容】
【００６３】
１． インクジェット印字ヘッド（４０、２４０）において、内部電力供給パス（９２、２９２）と、前記内部電力供給パスの電圧からオフセット電圧（１１４、２１４）を提供する電源レギュレータ（１００、２００）と、複数の基本要素（５０、２５０）とを備え、それぞれの前記基本要素は、一群のノズル（１３）と、前記一群のノズルに対応する一群の発射抵抗器（４８、２４８）と、前記内部電力供給パスと前記オフセット電圧の間に前記一群の発射抵抗器のうちの選択した発射抵抗器を結合し、それにより前記選択した発射抵抗器に電流を流して、それに対応する選択したノズルを発射させるように制御可能な対応する一群のスイッチ（５２、２２３、２２４、２５２）と、を備えることを特徴とするインクジェット印字ヘッド。
【手続補正４】
【補正対象書類名】明細書
【補正対象項目名】００６８
【補正方法】変更
【補正の内容】
【００６８】
６． 前記印字ヘッドが、さらに、内部電力アース（２９６）を備え、前記各帰還増幅器は、前記バッファ・オフセット電圧に結合された前記第１の入力と、フィードバック線（２１８）に結合された前記第２の入力と、駆動線（２１６）に結合された前記出力とを含み、前記基本要素内の各発射抵抗器は、前記内部電力供給パスに結合された第１の端子と、第２の端子とを含み、前記各基本要素内の前記一群のスイッチはサブグループのスイッチを含み、かつ、前記各サブグループのスイッチは前記発射抵抗器に対応し、前記各サブグループのスイッチは、全記発射抵抗器の前記第２の端子と前記内部電力アースの間に結合され、制御ゲートを有する電力用トランジスタ（２５２）と、前記駆動線と前記電力用トランジスタの前記制御ゲートの間に結合された第１のスイッチ（２２３）と、前記フィードバック線と前記発射抵抗器の前記第２の端子の間に結合された第２のスイッチ（２２４）とを含む、ことを特徴とする第4項に記載のインクジェット印字ヘッド。
【手続補正５】
【補正対象書類名】明細書
【補正対象項目名】００６９
【補正方法】変更
【補正の内容】
【００６９】
７． インクジェット印字ヘッド（４０、２４０）のインクジェット印刷の方法において、内部電力供給パス（９２、２９２）を提供する段階と、前記内部電力供給パス電圧からオフセット電圧（１１４、２１４）を提供する段階と、前記内部電力供給パスと前記オフセット電圧の間に一群の発射抵抗器のうちの選択した発射抵抗器（４８、２４８）を結合して、前記選択した発射抵抗器に電流を流し、それに対応する選択したノズルを発射させる段階と、を備えることを特徴とする方法。
【手続補正６】
【補正対象書類名】明細書
【補正対象項目名】００７２
【補正方法】変更
【補正の内容】
【００７２】
１０． 前記オフセット電圧を提供する段階は、帰還増幅器にバッファ・アナログ・オフセット電圧を受け取る段階と、前記帰還増幅器が前記オフセット電圧を提供する段階と、をさらに備えることを特徴とする第９項に記載の方法。